(57)【要約】      （修正有）【課題】発光ダイオードが発生する熱を効果的に放熱可能な発光ダイオードのランプベースを提供する。【解決手段】放熱部材１は、アルミまたは銅から形成される。放熱部材１の一端に設けられる閉塞面１１は、放熱部材１の引き伸ばしにより形成される。閉塞面１１には一つ以上の締め付け孔１１２が設けられ、締め付け孔１１２を介する複数のねじ４によって、放熱部材１の下側に設けられるランプキャップコネクタ５と放熱部材１とが締め付け結合される。一組以上の発光ダイオード２は、放熱部材１の閉塞面１１上に設置される。ランプフード３は、例えばガラスまたはプラスチックなどの光を通す材料から形成される。閉塞面１１は放熱部材１に一体成形されるため、緩みによる脱落や動きがなくなる。【選択図】図１
0003176422.tif 000002
【実用新案登録請求の範囲】
【請求項１】
アルミまたは銅からなり、一端に形成される閉塞面、および他端に形成される他方の開口を有する放熱部材と、
前記閉塞面に設けられる一組以上の発光ダイオードと、
光を通す材料からなり、前記放熱部材に取り付けられるランプフードと、
を備え、
前記閉塞面は、前記放熱部材の引き伸ばしにより形成されることを特徴とする発光ダイオードのランプベース。
【請求項２】
前記閉塞面の縁部には複数の嵌め孔が形成され、前記ランプフードには前記複数の嵌め孔に対応する複数の嵌め鉤が形成されていることを特徴とする請求項１に記載の発光ダイオードのランプベース。
【請求項３】
前記閉塞面には一つ以上の締め付け孔が設けられ、
前記放熱部材は、前記締め付け孔を介するねじにより前記放熱部材の他端側に設けられるランプキャップコネクタに締付結合されることを特徴とする請求項１に記載の発光ダイオードのランプベース。
【請求項４】
前記閉塞面には、前記閉塞面の引き伸ばしにより形成され向かう角度が異なる複数の側壁を有する凸部が形成され、
前記複数の側壁には複数の発光ダイオードが設けられることを特徴とする請求項１に記載の発光ダイオードのランプベース。
【請求項５】
前記凸部には線通し孔が設けられることを特徴とする請求項４に記載の発光ダイオードのランプベース。
【請求項６】
前記他方の開口の内壁には、ねじ溝が形成されることを特徴とする請求項１に記載の発光ダイオードのランプベース。
【請求項７】
前記ランプフードは、前記放熱部材に接着されることを特徴とする請求項１に記載の発光ダイオードのランプベース。
【考案の詳細な説明】
【技術分野】
【０００１】
本考案は、発光ダイオードのランプベースに関する。
【背景技術】
【０００２】
従来の発光ダイオードのランプベースは、放熱部材、結合部材、一組以上の発光ダイオード及びランプフード等部材から構成される。放熱部材は、両端に開口を有するカップ状に形成され、上側の大きい開口を形成する縁部には、予め内折されて環形溝が形成されている。結合部材は、断面が鈎状に形成されている端部が当該環形溝に差し込まれることにより、放熱部材上側の大きい開口に対して横置きに組み付けられる。結合部材の表面には、一つ以上の発光ダイオードが設置され、ランプフードを放熱部材の内壁に貼り付けることで、発光ダイオードのランプベースを構成する。放熱部材下側の小さい開口にはランプキャップコネクタが結合され、外部と電気的に接続する
【０００３】
従来の発光ダイオードのランプベースは、放熱部材と結合部材とが単純に組み付けられているので、部材同士の間で緩みによる脱落や動きが発生しやすい。そのために全体的構造の堅固性は十分ではなく、特に結合部材の表面に設置される発光ダイオードが発生する熱は、結合部材を介して放熱部材に伝達されるので、放熱部材による放熱が効果的に行われない。
【考案の開示】
【考案が解決しようとする課題】
【０００４】
本考案の目的は、発光ダイオードが発生する熱を効果的に放熱可能な発光ダイオードのランプベースを提供する。
【課題を解決するための手段】
【０００５】
本考案による発光ダイオードのランプベースは、放熱部材、一組以上のダイオード、及びランプフードを備える。放熱部材は、アルミまたは銅から形成され、一端に形成される閉塞面、および他端に形成される他方の開口を有する。閉塞面は、放熱部材の引き伸ばしにより形成される。一組以上の発光ダイオードは、閉塞面上に設けられる。ランプフードは、光を通す材料で形成され、放熱部材に取り付けられる。発光ダイオードが設けられる閉塞面は、放熱部材と一体に成形されるので、発光ダイオードが発生する熱を効果的に放熱することができる。
【０００６】
また、本考案による発光ダイオードのランプベースでは、閉塞面の縁部に複数の嵌め孔が形成され、ランプフードには複数の嵌め孔に対応する複数の嵌め鉤が形成されている。これにより、放熱部材とランプフードとは、嵌め孔と嵌め鉤とにより組み合わせられる。
また、閉塞面には、閉塞面の引き伸ばしにより形成され向かう角度が異なる複数の側壁を有する凸部が形成されている。当該複数の側壁には複数の発光ダイオードが設けられる。これにより、複数の発光ダイオードは広範囲の角度にむけて光を投射することができる。
【図面の簡単な説明】
【０００７】
【図１】本考案の第一実施例による発光ダイオードのランプベースの分解斜視図である。
【図２】本考案の第一実施例による発光ダイオードのランプベースの斜視図である。
【図３】本考案の第一実施例による発光ダイオードのランプベースの放熱部材の上面図である。
【図４】図３のＡ−Ａ断面図である。
【図５】図２の要部断面図である。
【図６】本考案の第一実施例の変形例による発光ダイオードのランプベースの分解斜視図である。
【図７】図６の要部断面図である。
【図８】本考案の第二実施例による発光ダイオードのランプベースの分解斜視図である。
【図９】図８のランプキャップコネクタを含まない要部断面図である。
【図１０】本考案の第二実施例の変形例による発光ダイオードのランプベースの分解斜視図である。
【図１１】図１０のランプキャップコネクタを含まない要部断面図である。
【考案を実施するための形態】
【０００８】
（第一実施例）
図１から図５に示すように、本考案の第一実施例による発光ダイオードのランプベースは放熱部材１、一組以上のダイオード２及びランプフード３を含む。
【０００９】
放熱部材１は、アルミまたは銅から形成される。放熱部材１の一端に設けられる閉塞面１１は、放熱部材１の引き伸ばしにより形成される。また、他端には、他方の開口１２が形成される。閉塞面１１には一つ以上の締め付け孔１１２が設けられ、締め付け孔１１２を介する複数のねじ４によって、放熱部材１の下側に設けられるランプキャップコネクタ５と放熱部材１とが締め付け結合される。
【００１０】
一組以上の発光ダイオード２は、放熱部材１の閉塞面１１上に設置される。
【００１１】
ランプフード３は、例えばガラスまたはプラスチックなどの光を通す材料から形成される。ランプフード３の外周には複数の嵌め鉤３１が設けられ、放熱部材１に形成されている嵌め孔１１１との組合せによって接続される。
【００１２】
上述したように、第一実施例の発光ダイオードのランプベースでは、閉塞面１１は放熱部材１に一体成形されてあるので、従来の放熱部材と結合部材との組み合わせにおける緩みによる脱落や動きがなくなる。これにより、発光ダイオード２が発生する熱が放熱部材１に直接伝達するので、より効果的に放熱することができる。
【００１３】
また、放熱部材１とランプフード３とは、それぞれに形成される複数の嵌め孔１１１と複数の嵌め鉤３１によって強固に接続することができる。
【００１４】
また、放熱部材１とランプキャップコネクタ５とは、放熱部材１に形成される一つ以上の締め付け孔１１２を介するねじ４によって簡便に接続することができる。これにより、簡便に発光ダイオードのランプベースを構成することができる。
【００１５】
また、第一実施例による発光ダイオードのランプベースでは、放熱部材１ａとランプフード３との嵌め付け構造は、放熱部材１ａの嵌め孔１１１及びランプフード３の嵌め鉤３１を省略し、粘着結合またはその他適当な構造の採用に改めることができる。例えば、図６及び図７に示す変形例では、放熱部材１ｂの引き伸ばし成形により閉塞面１１ｂを形成するとともに、放熱部材１ｂの他端の内壁には、ランプフード３ｂが図示しない接着剤により結合される。
【００１６】
（第二実施例）
図８及び図９に本考案の第二実施例による発光ダイオードのランプベースを示す。
第二実施例の発光ダイオードのランプベースでは、放熱部材１ａに形成されている閉塞面１１ａをさらに引き伸ばして成形し、中空の凸部１３ａを形成する。凸部１３ａは複数の発光ダイオード２が設置可能な側壁を複数備える。当該側壁は、それぞれ向かう角度が異なる。これにより、複数の発光ダイオード２はより広範囲の角度に光を投射することができる。中空の凸部１３ａには、更に線通し孔１３１ａが予め設けられ、発光ダイオード２に電気的に接続する導線を通すことに用いられてもよい。
【００１７】
また、図６及び図７に示すように、放熱部材１ａの他方の開口１２ａの内壁面にはねじ溝１２１ａが形成されている。また、ランプキャップコネクタ５ａの対応位置にもねじ溝１２１ａに対応するねじ溝５１ａが設けられている。これにより、ランプキャップコネクタ５ａは、ねじ付け方式をよって直接放熱部材１ａの他端に締め付け固定することができる。
【００１８】
図１０及び図１１に第二実施例の発光ダイオードのランプベースの変形例に示す。図１０及び図１１に示すように、嵌め孔及び嵌め鉤が形成されず、放熱部材１ｃの引き伸ばし成形により閉塞面１１ｃを形成するとともに、放熱部材１ｃには、ランプフード３ｃが図示しない接着剤により結合される。
【００１９】
（その他の実施例）
上述の実施例では、放熱部材とランプフードとは、嵌め付けまたは接着材を使用して組み合わせるとした。しかしながら、放熱部材とランプフードとの結合方法はこれに限定されない。ねじ付け方式またはその他簡易な組み合わせ構造を通じ、同じ結合の目的を達成してもよい。
【符号の説明】
【００２０】
１、１ａ、１ｂ、１ｃ              ・・・放熱部材、
１１、１１ａ、１１ｂ、１１ｃ      ・・・閉塞面、
１２、１２ａ                      ・・・他方の開口、
１２１ａ                          ・・・ねじ溝、
１１１                            ・・・嵌め孔、
１１２                            ・・・締め付け孔、
１３ａ                            ・・・凸部、
１３１ａ                          ・・・線通し孔、
２                                ・・・発光ダイオード、
３、３ｂ、３ｃ                    ・・・ランプフード、
３１                              ・・・嵌め鉤、
４                                ・・・ねじ、
５                                ・・・ランプキャップコネクタ、
５ａ                              ・・・ランプキャップコネクタ、
５１ａ                            ・・・ねじ溝。
【図１】
0003176422.tif 000003
【図２】
0003176422.tif 000004
【図３】
0003176422.tif 000005
【図４】
0003176422.tif 000006
【図５】
0003176422.tif 000007
【図６】
0003176422.tif 000008
【図７】
0003176422.tif 000009
【図８】
0003176422.tif 000010
【図９】
0003176422.tif 000011
【図１０】
0003176422.tif 000012
【図１１】
0003176422.tif 000013